(57)【要約】【課題】  クリア時の針幹の周長を短くすることができ、しかもステッチプレッサの作用や目移しも確実に行わせることができるべら針を提供する。【解決手段】  針幹２５の底面２５ｂから両方の側面２５ｃ，２５ｄにかけて、底面２５ｂの中間部を頂部２６ａとして残す両傾斜抉り２６を設けて、針幹２５の周長を減少させ、編目ループ１２がべら２３をクリアするのに必要なループ長を短くする。底面２５には中間部が残るので、曲げ剛性は低下しない。ステッチプレッサ１５を用いる場合は、底面２５ｂとの間の隙間が小さくなるので、旧ループ１３はべら針２１とともに歯口１１に上昇することがなく、編目ループ１２を確実にクリアさせることができる。表面２５ａは平坦に近くすることができるので、目移し時に編目ループ１２を確実にべら２３と表面２５ａとの間に突入させ、べら２３でフック２２を閉じて、離脱させることができる。【選択図】  図１
2008095213.tif 000002
【特許請求の範囲】
【請求項１】
針幹が大略的に矩形の断面形状を有し、表面側の先端にフックが開口するとともに揺動変位でフックを開閉するべらが設けられるべら針において、
べらがフックを最大限に開く状態でべらの先端が針幹の表面に接近する位置付近の針幹には、針溝摺動面である底面の中間部から少なくとも一方の側面にかけて、該矩形よりも周長が短くなる抉りが設けられていることを特徴とするべら針。
【請求項２】
前記抉りは、前記底面の中間部から両方の側面にかけて設けられていることを特徴とする請求項１記載のべら針。
【請求項３】
前記底面の中間部から両方の側面にかけて設けられている抉りは、底面側に向って５５°±１０°の角度をなして間隔が狭まる傾斜面を含むことを特徴とする請求項２記載のべら針。
【発明の詳細な説明】
【技術分野】
【０００１】
本発明は、横編機に使用するべら針に関する。
【背景技術】
【０００２】
従来から、横編機では、針床の長手方向に多数の針溝を形成し、各針溝内に収容する編針を摺動変位させて、針床の一方側が臨む歯口で編地を編成している。編針の歯口側先端にはフックが形成される。フックが開いた状態で歯口に進出すると、フック内に編糸が供給される。歯口で編糸の供給を受けたフックが針床側に退入すると、編糸が引込まれて編目ループが形成される。フックの歯口への進出時に、フック内には既に編目ループが形成されていれば、形成されている編目ループは、フック内から針幹側に移動する。針幹側に移動した編目ループは、フックが針床側に退入する際に、閉じるフックをノックオーバして歯口内に離脱し、旧ループとなる。歯口内に離脱した旧ループの連続によって編地が形成される。横編機の編針としては、フックをべらで開閉するべら針が広く用いられている。
【０００３】
図４は、べら針１の先端付近の概略的な構成の一例を示す。図４（ａ）に正面から見て示すように、べら針１では先端のフック２をべら３で開閉する。べら３は、支点４を中心として、実線で示すようなフック２を閉じる状態と、二点鎖線で示すようなフック２を最大限に開く状態との間で揺動変位する。べら針１が収容される針溝や、針溝が形成される針床については図示を省略しているけれども、針幹５の底面が針溝の底部に沿って摺動して、べら針１は図の左右方向に変位する。針幹５のうち、最大限に開くべら３の先端付近では、底面側に下抉り６が設けられている（たとえば、特許文献１参照。）。
【０００４】
図４（ｂ）は、べら針１を図４（ａ）の底面側から見て示す。図４（ｂ）に示すように、べら針１には、針幹５の側面の一方に側面抉り７が設けられ、底面と側面抉り７が設けられる側面との間に片傾斜抉り８も設けられる。図４（ａ）に示すように、針幹５の表面には段９も設けられる。段９の側方には、目移し用の羽根１０も設けられる。羽根１０は先端が自由端となる板ばねであり、先端は側面抉り７内に収容されて閉じている。
【０００５】
目移しは、歯口を挟んで対向する針床の編針間で行われる。編目ループを保持する目渡し側のべら針１が段９付近まで歯口に進出すると、フック２に保持されている編目ループは、相対的にフック２から段９の方向に移動する。フック２がべら３で閉じられていても、移動する編目ループがべら３を内側から開き、べら３は支点４を中心とする揺動変位で二点鎖線で示す状態まで開く。編目ループは、開いているべら３を乗越え、段９まで移動する。羽根１０は、先端が閉じているので、編目ループの内側に入る。対向する針床から歯口に進出する目受け側のべら針１のフック２の先端は、片傾斜抉り８で案内されて羽根１０と針幹５との間に侵入する。目渡し側のべら針１が歯口から後退すると、編目ループは目受け側のべら針１のフック２に捕捉され、編目ループを捕捉した目受け側のべら針１のフック２は羽根１０を開いて脱出する。目受け側のフック２に捕捉された編目ループは、目渡し側のべら針１を、べら３の下側に侵入してべら３でフック２を閉じながら離脱する。（たとえば、特許文献２参照）。
【０００６】
図４（ｃ）には、図４（ａ）の切断面線Ｃ−Ｃから見た下抉り６の部分の断面形状を示す。べら針１は、金属板の打抜き加工を元に製造するので、針幹５の基本的な断面形状は矩形となる。下抉り６は、針幹５の底面側を一様に削減して形成されるので、断面形状は矩形であるけれども、周長は減少する。
【０００７】
図５は、下抉り６を設ける理由を示す。下抉り６は、べら針１が歯口１１に進出して基本的なニットの編目を形成する際に、フック２に保持されていた編目ループ１２がべら３を開いて針幹５側に離脱することを容易にするために設けられる。なお、横編機では、歯口１１を挟んで対向する針床は、歯口１１側が上昇するようにそれぞれ傾斜しているので、べら針１を傾斜させた姿勢で示す。歯口１１の斜め上方にべら針１が進出すると、フック２内に保持されていた編目ループ１２は、べら３を開きながら、べら３を乗越えて針幹５側に移行してクリアされる。歯口１１でフック２に編糸が供給されると、べら針１は歯口１１から後退する。針幹５側に移行していた編目ループ１２は、べら３と針幹５との間に侵入し、べら３を閉じながらフック２を乗越えて離脱するノックオーバで、新たにフック２内に形成される新ループに対して旧ループ１３となる。このようにして順次形成される旧ループ１３は、歯口１１の下方に垂下がるように集積し、編地１４が形成される。
【０００８】
編目ループ１２のクリアとノックオーバとを確実に行わせるためには、開いた状態のべら３の先端と針幹５との間に、ある程度の段差を設ける必要がある。図５（ａ）に示すように、編目ループ１２がべら３の先端に載っている状態で、クリアする直前で必要なループ長が最大となる。このループ長は、編成可能な最小限の編目の大きさを決定する。フック２が編糸を引込んで編目ループ１２を形成する際の引込量を少なくしてループ長が小さくなるようにしても、べら３をクリアすることができなければ、編地１４を形成することはできない。下抉り６を設ければ、図５（ｂ）に示すように、針幹５の周長を減少させ、クリア時にべら３と針幹５とを外囲するループ長を小さくすることができる。
【０００９】
なお、編目ループ１２のクリアを容易にするために、歯口１１にステッチプレッサ１５などの編地押えを挿入する技術も知られている（たとえば、特許文献３参照）。また、べら３と針幹５とを含むクリアに必要な周長を減少させるために、べら３側に二点鎖線で仮想的に示すような上抉り１６を設けて、べら３の先端を二点鎖線で示すように下げる技術も知られている。たとえば、特許文献２の図４〜図１０に示されるべら針には、上抉り１６に相当するくぼみが認められる。
【特許文献１】実開平３−７０２８６号公報
【特許文献２】特開２００６−５７２３４号公報
【特許文献３】特公昭６２−１５６６２号公報
【発明の開示】
【発明が解決しようとする課題】
【００１０】
図４（ａ）に示すような下抉り６を設けると、図５（ａ）に示すようにステッチプレッサ１５を用いる際に、ステッチプレッサ１５と下抉り６との間に隙間が生じてしまう。編目ループ１２や旧ループ１３を形成している編糸が細いような場合、ステッチプレッサ１５で旧ループ１３を押える作用が充分ではなくなる可能性がある。ステッチプレッサ１５の作用が不充分になると、編目ループ１２がべら３の先端に載った状態でべら針１とともに歯口１１側に進出し、編目ループ１２をクリアさせることができなくなってしまう。
【００１１】
図５（ａ）に二点鎖線で仮想的に示すように、ステッチプレッサ１５が作用する底面側は平坦にして、上抉り１６を設け、べら３を下げるようにすれば、ステッチプレッサ１５を充分に作用させることはできる。上抉り１６によって、クリア時のべら３の位置は針幹５側に接近し、クリア時に必要なループ長を減少させることができる。しかしながら、上抉り１６を設けてべら３を下げると、前述のような目移し時に、段９で目受け側のべら針１のフック２に捕捉された編目ループ１２がべら３の下側に侵入しにくくなり、べら３の上側を通過したり、べら３の先端に当りやすくなってしまう。目渡しする編目ループ１２がべら３の上側を通過すると、開いた状態のフック２内に戻ってしまい、目渡し側のべら針１のフック２から離脱することができなくなって、編目ループ１２を目受け側に移行させることができない。編目ループ１２がべら3の先端に当ると、糸が割れてしまう。
【００１２】
クリア時に必要なループ長を減少させないと、充分に小さな編目を編成することができなくなってしまう。
【００１３】
本発明の目的は、クリア時の針幹の周長を短くすることができ、しかもステッチプレッサの作用や目移しも確実に行わせることができるべら針を提供することである。
【課題を解決するための手段】
【００１４】
本発明は、針幹が大略的に矩形の断面形状を有し、表面側の先端にフックが開口するとともに揺動変位でフックを開閉するべらが設けられるべら針において、
べらがフックを最大限に開く状態でべらの先端が針幹の表面に接近する位置付近の針幹には、針溝摺動面である底面の中間部から少なくとも一方の側面にかけて、該矩形よりも周長が短くなる抉りが設けられていることを特徴とするべら針である。
【００１５】
また本発明で、前記抉りは、前記底面の中間部から両方の側面にかけて設けられていることを特徴とする。
【００１６】
また本発明で、前記底面の中間部から両方の側面にかけて設けられている抉りは、底面側に向って５５°±１０°の角度をなして間隔が狭まる傾斜面を含むことを特徴とする。
【発明の効果】
【００１７】
本発明によれば、べらがフックを最大限に開く状態で、べらの先端が接近する位置付近の針幹は、底面の中間部から少なくとも一方の側面にかけて、断面形状の矩形よりも周長が短くなる抉りが設けられているので、編目ループがべらをクリアする位置で針幹の周長を減少させることができる。針幹の底面側は、少なくとも一方の側面にかけて抉られていても、中間部には抉られないか、抉りの程度が小さい部分が残存する。底面の一部に抉りが設けられても針幹の表面と底面との間の間隔には、断面形状の矩形と同等の部分が残存しているので、ステッチプレッサを備える場合に、隙間が開くことがなく、ステッチプレッサの作用を充分に行わせることができる。針幹の表面側では、周長を減少させるための抉り等を廃止したり低減したりすることができる。べら針が目渡し側となって目移しを行う際には、目受け側のフックに捕捉された編目ループを、べらと針幹の表面側との間に侵入させて、べらでフックを閉じながら目渡し側のべら針から離脱させ、確実に目移しを行うことができる。
【００１８】
また本発明によれば、針幹の底面の中間部から両方の側面にかけて抉りが設けられるので、一方側の側面のみに抉りが設けられる場合よりも、容易に周長の減少を図ることができる。
【００１９】
また本発明によれば、底面の中間部から両方の側面にかけて設けられている抉りは、底面側に向って５５°±１０°の角度をなして間隔が狭まる傾斜面を含むので、円滑な編目形成を図ることができる。
【発明を実施するための最良の形態】
【００２０】
図１は、本発明の実施の一形態としてのべら針２１の先端付近の構成を示す。以下図１〜図３では、べら針２１以外の構成部分で、図４や図５に示す構成部分と同等の構成部分には、同一の参照符を付して重複する説明を省略することがある。
【００２１】
図１に示すように、べら針２１のフック２２、べら２３、支点２４および針幹２５などの基本的な構成は、図４および図５に示すべら針１のフック２、べら３、支点４および針幹５とそれぞれ同等である。ただし、べら針２１では、べら針１の下抉り１６ではなく、両傾斜抉り２６を設けるようにしている。両傾斜抉り２６を設ける程度は、最大限に開いた状態のべら２３の先端付近で最大となり、べら針２１の長さ方向の両側に向って滑らかに減少させている。
【００２２】
べら針１では、針幹２５の表面２５ａ側にフック２２が開口し、べら２３がフック２２の開口を臨む位置に設けられる。両傾斜抉り２６は、針幹２５の底面２５ｂから両側の側面２５ｃ，２５ｄにかけて形成される。両傾斜抉り２６の頂部２６ａとして、針幹２５で抉りが設けられていない部分の底面２５ｂの中間部に相当する部分が残存する。べら針１のような横編機の編針は、針床に設ける針溝内に収容されて摺動変位し、底面２５ｂが摺動面となる。
【００２３】
両傾斜抉り２６は、たとえば図１（ｂ）に図１（ａ）の切断面線Ｂ−Ｂから見て示すように、針幹２５の断面形状で矩形の下辺となる底面２５ｂの中間部を除く両側と両方の側面２５ｃ，５ｄとの間を短絡する傾斜面として形成される。直線状の両傾斜抉り２６は、面取り前の矩形断面の角隅部に対して直角三角形の斜辺に相当するので、対向する直角を挟む二辺の長さの和よりは短くなり、周長が減少する。針幹２５の表面２５ａと両傾斜抉り２６の頂部２６ａとの間の距離は、矩形断面部分での表面２５ａと底面２５ｂとの間の距離と同程度となって、図４の下抉り６を設ける場合のようには減少しないので、図１（ｂ）の紙面と垂直な、針幹２５の長さ方向の曲げ剛性が低下しないようにすることができる。
【００２４】
図１（ａ）に示すように、ステッチプレッサ１５を用いる場合は、ステッチプレッサ１５とべら針２１の底面２５ｂの中間部となる両傾斜抉り２６の頂部２６ａとの間の隙間が小さくなるので、ステッチプレッサ１５の作用を充分に発揮させることができる。ステッチプレッサ１５の作用で、旧ループ１３はべら針２１とともに歯口１１に上昇することがなく、編目ループ１２をべら２３の先端から確実にクリアさせることができる。なお、両傾斜抉り２６の頂部２６ａとして、針幹２５の底面２５ｂの中間部に相当する部分が完全には残存しないで、頂部２６ａが底面２５ｂよりも表面２５ａ側に抉られていても、その程度が小さければ平坦とみなすことができる。頂部２６ａとステッチプレッサ１５との間の隙間が小さく、曲げ剛性の低下も小さいからである。
【００２５】
図２は、図１のべら針２１で、図４のべら針１に対応して、目移し部分を含む構成を示す。針幹２５には、両傾斜抉り２６とともに、側面抉り２７、片傾斜抉り２８、段２９および羽根３０が設けられる。これらの構成要素は、図４のべら針１の側面抉り７、片傾斜抉り８、段９および羽根１０とそれぞれ同等である。図２（ａ）は正面から見た構成を示し、図２（ｂ）は図２（ａ）の底面側から見た構成を示し、図２（ｃ）は図２（ａ）の切断面線Ｃ−Ｃから見た断面形状を示す。
【００２６】
図２（ａ）に示すように、開いた状態のべら２３の先端付近の針幹２５の表面２５ａには、わずかの上抉り３１が設けられる。しかしながら、この上抉り３１は、目移し時に支障が生じない程度に小さくする。図２（ｂ）に示すように、両傾斜抉り２６の両傾斜面は、べら針２１の底面２５ｂで交わり、稜線となる頂部２６ａは、針幹２５のほぼ中央を通る。
【００２７】
図２（ｃ）に示すように、両傾斜抉り２６の部分の断面形状は抉りが設けられていない部分の矩形断面の底面２５ｂの中間部が残るＶ形であり、針幹２５の両側で対称な形状となる。両傾斜抉り２６の両斜面間でなす角度θは、種々の試験の結果、５５°±１０°程度が好ましいと判明している。
【００２８】
図３は、図２（ａ）に示す上抉り３１と目移し時の編目ループ１２の移動軌跡との関係を示す。図３（ａ）に示すように、目移し時には、段２９まで相対的に後退した編目ループ１２がべら２３の方へ相対的に前進する。上抉り３１が深くなければ、べら針２１での移動軌跡２１ａは、針幹２５の表面２５ａに沿ってべら２３と上抉り３１との間に突入し、さらに編目ループ１２が前進する際に、べら２３でフック２２を閉じて目渡し側のべら針２１から離脱することができる。
【００２９】
図３（ｂ）は、本発明の実施の他の形態として、上抉りを設けないべら針３２の構成を示す。上抉りを設けなければ、針幹３５の表面３５ａに沿う編目ループ１２の移動軌跡３２ａは、確実にべら２３と針幹３５の表面３５ａとの間に突入させることができる。上抉りを設けない代りに、針幹３５の底面３５ｂから両側面に設ける両傾斜抉り３６を大きくして、針幹３５の周長を低減し、クリア時に必要なループ長が増大しないようにすることができる。図２（ｃ）に示すようなＶ形の断面形状で、両傾斜抉り２６の傾斜面を大きくすると、傾斜面間でなす角度θは小さくなる。
【００３０】
図３（ｃ）は、比較例となるべら針４０として、上抉り４１のみを針幹４５に設け、底面４５ａには抉りを設けない構成を示す。底面４５ｂ側に抉りを設けないでも、表面４５ａ側の上抉り４１と、べら２３を下げることとで、クリア時の周長を短くすることはできる。また、針幹４５の底面４５ｂが平坦となるので、ステッチプレッサ１５を用いる場合の作用も充分に行わせることができる。しかしながら、目移し時の編目ループ１２の移動軌跡４０ａは、べら２３に突き当ったり、べら２３の上側を通りやすくなってしまい、べら２３と上抉り４１との間に突入させることが困難となる。移動軌跡４０ａがべら２３に突き当ると編目ループ１２の糸が割れてしまう。移動軌跡４０ａがべら２３の上側を通ると、編目ループ１２がフック２２内に戻ってしまい、目移しを行うことができなくなってしまう。
【００３１】
図３（ａ）に示すべら針２１では、上抉り３１を設けても浅い状態とするので、移動軌跡２１ａがべら２３と針幹２５の間に突入し、べら２３でフック２２を閉じながら編目ループ１２を目受け側に移行させることができる。また、べら針２１やべら針３２では、べら２３がフック２２を最大限に開く状態で、べら２３の先端が接近する針幹２５，３５の表面２５ａ，３５ａに対向する底面２５ｂ，３５ｂは、頂部２６ａ，３６ａとなる中間部を除く両側が両傾斜抉り２６，３６として抉られているので、編目ループ１２がべら２３をクリアする針幹２５，３５の部分の周長を減少させることができる。底面２５ｂ，３５ｂの中間部は抉られていないので、ステッチプレッサ１５を備える場合に、隙間が大きく開くことがなく、ステッチプレッサ１５の作用を充分に行わせることができる。針幹２５，３５の断面形状でべら２２が設けられる側に対応する表面２５ａ，３５ａでは、周長を減少させるための抉り等を廃止したり低減したりすることができるので、目受け側のフック２２に捕捉された編目ループ１２をべら２３で閉じたフック２２から離脱させ、確実に目移しを行うことができる。
【００３２】
なお、両傾斜抉り２６，３６は、両傾斜抉り２６について図１（ｂ）に示すように断面形状で直線状となる傾斜面を有しているけれども、断面形状で曲線となる曲面であってもよい。また、底面２５ｂから側面２５ｃ，２５ｄの一方側のみに抉りを設けても、周長の短縮を図り、ステッチプレッサ１５の作用を充分に行わせることができる。
【図面の簡単な説明】
【００３３】
【図１】本発明の実施の一形態としてのべら針２１の先端付近で編目ループ１２がクリアされる部分付近の構成を示す部分的な正面図および断面図である。
【図２】図１のべら針２１で、目移し部分を含む構成を示す正面図、底面図および編目ループをクリアする部分の断面図である。
【図３】図１のべら針２１および本発明の実施の他の形態としてのべら針３２について、上抉りと目移し時の編目ループ１２の移動軌跡との関係を、比較例とともに示す部分的な正面図である。
【図４】従来からのべら針１の先端付近の概略的な構成の一例を示す正面図、底面図および編目ループがクリアされる部分の断面図である。
【図５】図４のべら針１の先端付近で編目ループ１２がクリアされる部分付近の構成を示す部分的な正面図および断面図である。
【符号の説明】
【００３４】
１１  歯口
１２  編目ループ
１３  旧ループ
１５  ステッチプレッサ
２１，３２  べら針
２２  フック
２３  べら
２５，３５  針幹
２５ａ，３５ａ  表面
２５ｂ、３５ｂ  底面
２６，３６  両傾斜抉り
２６ａ，３６ａ  頂部
【図１】
2008095213.tif 000003
【図２】
2008095213.tif 000004
【図３】
2008095213.tif 000005
【図４】
2008095213.tif 000006
【図５】
2008095213.tif 000007